(57)【要約】【課題】ライン引き装置にライン形成材を補充する際の作業環境及び運搬時の取扱い作業性を良好にし、しかも、ライン形成材による放出口の詰まりを回避するとともに、ライン形成材の放出量を安定させ、さらに、ライン形成材の色替えを容易に行えるようにする。【解決手段】ライン引き装置は、ラインを形成するためのライン形成材が固形とされた状態で収容される収容部と、収容部内に臨むように配設され、固形のライン形成材を削るための削り部材３と、収容部を移動させるための車輪４とを備えている。収容部には、削り部材３で削られたライン形成材を放出するための放出口が形成されている。【選択図】図２
2011250997.tif 000002
【特許請求の範囲】
【請求項１】
ラインを形成するためのライン形成材が固形とされた状態で収容される収容部と、
上記収容部内に臨むように配設され、上記固形のライン形成材を削るための削り部材と、
上記収容部を移動させるための車輪とを備え、
上記収容部には、上記削り部材で削られたライン形成材を放出するための放出口が形成されていることを特徴とするライン引き装置。
【請求項２】
請求項１に記載のライン引き装置において、
削り部材は、収容部に収容されたライン形成材に接した状態で動くように該収容部に支持され、
車輪の回転力を上記削り部材に伝達させて該削り部材を動かす回転力伝達部を備えていることを特徴とするライン引き装置。
【請求項３】
請求項１または２に記載のライン引き装置において、
削り部材は、ライン形成材の下側に配置されていることを特徴とするライン引き装置。
【請求項４】
請求項１から３のいずれか１つに記載のライン引き装置において、
収容部には、ライン形成材を削り部材へ押し付ける付勢部材が設けられていることを特徴とするライン引き装置。
【請求項５】
請求項１から４のいずれか１つに記載のライン引き装置において、
削り部材を駆動するモータを備えていることを特徴とするライン引き装置。
【請求項６】
削り部材を備えたライン引き装置に使用されるライン形成材において、
固形であることを特徴とするライン形成材。
【発明の詳細な説明】
【技術分野】
【０００１】
本発明は、例えば運動場や公園の地面等にラインを引く際に用いられるライン引き装置及びラインを形成するためのライン形成材に関するものである。
【背景技術】
【０００２】
従来から、この種のライン引き装置として、車輪が取り付けられた容器に、ラインを地面上に形成するための粉体からなるライン形成材を収容し、このライン形成材を容器の下部に設けられた放出口から少しずつ放出して地面に撒き、所定のラインを形成するように構成されたものが知られている（例えば、特許文献１参照）。
【０００３】
このようなライン引き装置では、ライン形成材が無くなった後にライン形成材を容器に補充する作業が必要である。一般に、粉体のライン形成材は、２０ｋｇ毎に袋詰めされて流通している。従って、ライン形成材をライン引き装置の容器に補充する際には、袋を持ち上げて容器に移したり、袋の中にスコップを差し込んでライン形成材をすくって容器に移したりしている。
【先行技術文献】
【特許文献】
【０００４】
【特許文献１】特開２００６−２２３８３９号公報
【発明の概要】
【発明が解決しようとする課題】
【０００５】
しかしながら、ライン引き装置にライン形成材を補充する際、袋を持ち上げて移す場合には、ライン形成材が粉体であることから舞い上がって飛散し、また、スコップですくって移す場合にも同様に飛散する。飛散したライン形成材は、作業者の衣服等に付着したり、作業者が吸い込んだり、作業場の床に落ちて床が粉だらけになって汚れるという問題があるので、作業環境の悪化をもたらす。
【０００６】
また、ライン引き装置を例えば自動車等に積んで運ぶ際には、容器内のライン形成材が粉体であることから、容器から洩れやすく、取扱い時の作業性が悪い。
【０００７】
また、ライン引き装置に粉体のライン形成材を収容したまま放置しておくと、湿って固まって放出口に詰まることがある。こうなると、次回の使用時にライン形成材が放出されなかったり、ライン形成材の放出量が少なく薄いラインになってしまうこともある。
【０００８】
また、容器内のライン形成材は、放出口の近傍で粉体同士が凝集して上方へ湾曲するようなアーチ構造を形成して放出口を閉塞する、いわゆるブリッジ現象が起こることがある。このブリッジ現象によってもライン形成材が放出されなくなることがある。さらに、ライン形成材の凝集度合いが変化することもあり、このことによってライン形成材の流れが不均一になって放出量が変化し、濃いラインとなったり、薄いラインとなったりすることがある。
【０００９】
また、例えば、赤色のライン、青色のライン、黄色のラインを引きたい場合には、色を変更するためにライン形成材を詰め替えなければならないが、粉体のライン形成材を詰め替える作業は困難である。従って、引きたいライン色の数だけライン引き装置を揃えなければならないという問題もある。
【００１０】
本発明は、かかる点に鑑みてなされたものであり、その目的とするところは、ライン引き装置にライン形成材を補充する際の作業環境及び運搬時の取扱い作業性を良好にし、しかも、ライン形成材による放出口の詰まりを回避するとともに、ライン形成材の放出量を安定させ、さらに、ライン形成材の色替えを容易に行えるようにすることにある。
【課題を解決するための手段】
【００１１】
上記目的を達成するために、本発明では、ライン形成材を固形にしておき、これを削って放出するようにした。
【００１２】
第１の発明は、ラインを形成するためのライン形成材が固形とされた状態で収容される収容部と、上記収容部内に臨むように配設され、上記固形のライン形成材を削るための削り部材と、上記収容部を移動させるための車輪とを備え、上記収容部には、上記削り部材で削られたライン形成材を放出するための放出口が形成されていることを特徴とするものである。
【００１３】
この構成によれば、ライン形成材を補充する際には、ライン形成材が固形であるため、従来の粉体を補充する場合のようにライン形成材が飛散することは殆どない。
【００１４】
また、ライン引き装置を運搬する際には、内部のライン形成材が固形であるため、収容部から容易に取り出すことが可能になる。さらに、ライン色を変えたい場合には、ライン形成材が固形であるため、収容部からの取り出しが簡単に行え、別の色のライン形成材を収容部に簡単に収容することが可能である。
【００１５】
また、ライン形成材を削り部材で削って放出口から放出するようにしているので、ライン形成材を収容部に収容したまま長期間放置しても、従来の粉体のライン形成材を使用した場合のように湿って固まって放出口に詰まることはなく、その後、通常の使用時と同様にライン形成材を削って放出口から放出することが可能である。また、従来の粉体を用いた場合のような容器内の放出口近傍での粉体同士の凝集が起こらないため、ブリッジ現象が起こらない。そのため、放出時におけるライン形成材の流れが不均一になりにくく、ラインの濃さが均一になる。
【００１６】
第２の発明は、第１の発明において、削り部材は、収容部に収容されたライン形成材に接した状態で動くように該収容部に支持され、車輪の回転力を上記削り部材に伝達させて該削り部材を動かす回転力伝達部を備えていることを特徴とするものである。
【００１７】
この構成によれば、ライン引き装置を動かす際の車輪の回転力を利用してライン形成材を削ることが可能になる。
【００１８】
第３の発明は、第１または２の発明において、削り部材は、ライン形成材の下側に配置されていることを特徴とするものである。
【００１９】
この構成によれば、ライン形成材の自重を利用してライン形成材を削り部材に押し付けることが可能になる。
【００２０】
第４の発明は、第１から３のいずれか１つの発明において、収容部には、ライン形成材を削り部材へ押し付ける付勢部材が設けられていることを特徴とするものである。
【００２１】
この構成によれば、ライン形成材が削り部材に確実に押し付けられるようになる。
【００２２】
第５の発明は、第１から４のいずれか１つの発明において、削り部材を駆動するモータを備えていることを特徴とする。
【００２３】
この構成によれば、ライン形成材を削る際の動力がモータから供給されるので、作業者の負担が少なくなる。
【００２４】
第６の発明は、削り部材を備えたライン引き装置に使用されるライン形成材において、固形であることを特徴とする。
【００２５】
この構成によれば、第１の発明と同様に、ライン形成材を補充する際には、ライン形成材が飛散することは殆どなく、また、ライン引き装置を運搬する際に、ライン引き装置から殆ど洩れることはない。さらに、ライン色を変えたい場合に簡単に行える。また、ライン形成材を長期間放置しても、その後、削って放出口から放出することが可能である。
【発明の効果】
【００２６】
第１の発明によれば、固形のライン形成材を収容部に収容したので、作業環境を良好にできるとともに、ライン形成材を収容部から容易に取り出して運搬することができ、取扱い作業性も良好になり、さらに、ライン形成材の色替えを容易に行うこともできる。そして、ライン形成材を削って収容部から放出するようにしたので、ライン形成材の詰まりやブリッジ現象を回避でき、ライン形成材の放出量を安定させて均一な濃さのラインを引くことができる。
【００２７】
第２の発明によれば、車輪の回転力を削り部材に伝達させて削り部材を動かすことができるので、削り部材を動かすための動力源を別途設けることなく、車輪の回転力を利用してライン形成材を削ることができる。よって、ライン引き装置の低コスト化を図ることができる。
【００２８】
第３の発明によれば、削り部材をライン形成材の下側に配置したことで、ライン形成材の自重を利用してライン形成材を削り部材で確実に削ることができる。
【００２９】
第４の発明によれば、ライン形成材を削り部材へ押し付ける付勢部材を設けたので、収容部内のライン形成材の量によらず、ライン形成材を削り部材に確実に押し付けてライン形成材を削ることができる。
【００３０】
第５の発明によれば、削り部材を駆動するモータを備えているので、作業者に負担をかけることなく、ライン形成材を削ることができる。
【００３１】
第６の発明によれば、第１の発明と同様に、作業環境を良好にできるとともに、運搬時の取扱い作業性も良好になり、さらに、ライン形成材の色替えを容易に行うこともできる。そして、ライン形成材の詰まり等を回避でき、ライン形成材の放出量を安定させることができる。
【図面の簡単な説明】
【００３２】
【図１】実施形態１にかかるライン引き装置の斜視図である。
【図２】車輪、車軸及び削り部材の構造を示す斜視図である。
【図３】削り部材の部分拡大図である。
【図４】図２のIV−IV線断面図である。
【図５】実施形態２にかかる図２相当図である。
【図６】図５のVI−VI線断面図である。
【図７】変形例１にかかる図３相当図である。
【図８】変形例２にかかる図３相当図である。
【図９】変形例にかかるライン形成材の斜視図である。
【図１０】実施形態３にかかるライン引き装置のブロック図である。
【発明を実施するための形態】
【００３３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３４】
（実施形態１）
図１は、本発明の実施形態１にかかるライン引き装置１を示すものである。このライン引き装置１は、例えば、保育園や幼稚園、学校の運動場、公園等の地面にラインを引くためのものである。尚、ライン引き装置１を用いてラインを引く場所は、上記に限られるものではなく、様々な場所に引くことができる。
【００３５】
ライン引き装置１は、ラインを形成するためのライン形成材Ａが固形とされた状態で収容される収容部２と、収容部２内に臨むように配設され、ライン形成材Ａを削るための削り部材３（図２に示す）と、収容部２を移動させるための一対の車輪４，４とを備えている。
【００３６】
収容部２は、上下方向に長い箱状に形成されている。収容部２の上端部には、上方に開放する補充口６が形成されており、この補充口６からライン形成材Ａを収容部２に補充することができるようになっている。
【００３７】
収容部２の補充口６は、蓋７により閉塞されるようになっている。蓋７は、収容部２の上端部に嵌って固定されるようになっている。蓋７の裏面（収容部２内に臨む面）には、ライン形成材Ａを下方へ押すためのコイルバネ（付勢部材）８が設けられている。コイルバネ８は、中心軸が上下方向に延びる姿勢とされて上端部が蓋７の裏面に固定され、下端部は自由端とされている。コイルバネ８の中心軸方向の長さは、ライン形成材Ａを、その残りが僅かになるまで、削り部材３に押し付けることができるように、十分な長さが確保されている。また、コイルバネ８の下端部には、押さえ板９が取り付けられている。この押さえ板９は、ライン形成材Ａの上面に接する。
【００３８】
収容部２の後側（進行方向後側）には、作業者が把持するためのハンドル１０が設けられている。このハンドル１０は収容部２の上端部よりも上方へ延びている。
【００３９】
また、収容部２の底壁には、削り部材３によって削られたライン形成材を放出するための複数の放出口（放出部）１１，１１，…が形成されている。
【００４０】
収容部２の下部には、車輪４，４が取り付けられる車軸１２が回動可能に支持されている。車軸１２は、ライン引き装置１の左右方向（幅方向）に略水平に延びていて、収容部２を左右方向に貫通している。車軸１２の右端部及び左端部は、収容部２の側壁から外部へ突出している。車軸１２の両端部にそれぞれ車輪４，４が固定されていて、車輪４，４と車軸１２とは一体に回転するようになっている。
【００４１】
削り部材３は、収容部２の下部に収容されている。図２及び図４に示すように、削り部材３は、円筒状の本体部１５と、本体部１５の周壁部に設けられた複数の削り部１６，１６，…とを備えている。本体部１５は、鋼板等を成形してなるものである。本体部１５には車軸１２の軸方向中間部が貫通している。本体部１５の中心線と車軸１２の中心線とは略一致している。本体部１５は車軸１２に固定されていて、本体部１５と車軸１２とは一体に回転するようになっている。つまり、車輪４の回転力は、車軸１２を介して削り部材３に伝達される。車軸１２は回転力伝達部である。
【００４２】
図３に示すように、各削り部１６は、刃１６ａと貫通孔１６ｂとを備えている。刃１６ａは、ライン形成材Ａに接触して接触した部分を削って粉体にするためのものであり、削り部材３の外周面から外方へ突出するように切り起こされて形成されている。刃１６ａは、削り部材３の中心線方向に延びている。貫通孔１６ｂは、刃１６ａの縁部に連なるように開口している。刃１６ａにより削られたライン形成材Ａは、貫通孔１６ｂを通って削り部材３の内部に逃げるので刃１６ａの目詰まりが抑制される。
【００４３】
図２に示すように、削り部１６は、削り部材３の周方向に並ぶように設けられるとともに、中心線方向にも並ぶように設けられている。削り部材３の周方向に隣り合う刃１６ａの向きは、互いに反対向きとされている。
【００４４】
具体的には、図４に示すように、ある削り部（符号１６Ａで示す）の刃１６ａは、削り部１６の回転方向一側に向いていて、削り部１６が一側に回転する際にライン形成材Ａを削る。一方、この削り部１６Ａに隣接する削り部（符号１６Ｂで示す）の刃１６ａは、削り部１６の回転方向他側に向いていて、削り部１６が他側に回転する際にライン形成材Ａを削る。このように、周方向に並ぶ削り部１６の刃１６ａの向きを交互にしたことで、ライン引き装置１を前進させても後退させてもライン形成材Ａを削ることができる。
【００４５】
次に、上記のように構成されたライン引き装置１の使用要領について説明する。
【００４６】
まず、図１に示すように、収容部２の補充口６を開放し、ライン形成材Ａを収容部２に収容する。ライン形成材Ａは、固形である。具体的には、例えば、粉体の炭酸カルシウムからチョークを製造する要領と同様に、炭酸カルシウムを固めたものである。
【００４７】
尚、ライン形成材Ａの材料としては、例えば、石灰岩、ホタテの殻、サンゴ礁等を粉砕したものの他、建材として使用されていた石膏ボード等を粉砕したリサイクル材等が挙げられるが、これらに限られるものではなく、例えば、珪藻土等、様々なものを使用することができる。また、粉体を固化させるための薬剤も、チョークの製造時に用いられるもの以外も使用できる。また、ライン形成材Ａの色は、色素を混合させればよい。
【００４８】
ライン形成材Ａが固形であるため、通常の取扱い時には、削ったりしない限り、粉体が飛散することは殆どない。また、ライン形成材Ａの重量は、女性や子供でも取扱いし易いように１ｋｇ程度が好ましいので、この程度の重量となるようにライン形成材Ａの大きさが設定されている。また、ライン形成材Ａの形状は、収容部２の内形状に対応するように直方体ないし立方体に形成されている。これにより、ライン形成材Ａが収容部２内で不要に動くことなく、安定する。
【００４９】
尚、ライン形成材Ａの大きさは上記に限られるものではなく、３ｋｇ、５ｋｇ、１０ｋｇ等であってもよい。また、ライン形成材Ａの形状は、収容部２の内形状に対応させるのが好ましいが、これに限られるものではない。
【００５０】
ライン形成材Ａを収容部２に収容する際には、上記したように固形であるため、粉体が飛散することは殆どない。よって、作業者に付着し難く、吸い込むこともなく、しかも、床を汚すこともない。ライン形成材Ａは、複数個収容することができるが、事前に使用量を予測できる場合で、使用量が少ないのであれば、例えば、１つだけ収容することが可能である。ライン形成材Ａを収容部２に収容すると、ライン形成材Ａの下面が削り部材３に接する。
【００５１】
ライン形成材Ａを収容部２に収容した後、蓋７を収容部２に固定する。蓋７を収容部２に固定すると、コイルバネ８が収容部２に収容されているライン形成材Ａの上面に接し、ライン形成材Ａを下方、すなわち、削り部材３に圧接する方向へ押す。
【００５２】
その後、ライン引き装置１を地面上で動かす。すると、車輪４の回転力が車軸１２を介して削り部材３に伝達され、削り部材３は、車軸１２の中心線周りに回転し始める。削り部材３の回転により、刃１６ａがライン形成材Ａの下面を引っ掻き、ライン形成材Ａを削っていく。これにより、ライン形成材Ａが粉体となり、粉体となったライン形成材Ａは、放出口１１，１１，…から放出されて地面上にラインが形成される。
【００５３】
また、ライン形成材Ａを削り部材３で削って放出口１１から放出するようにしているので、従来の粉体を用いた場合のような凝集によるブリッジ現象が収容部２内で起こらない。
【００５４】
また、ライン形成材Ａを収容部２に収容した状態で長期間放置していた場合にも、同様に、削り部材３によってライン形成材Ａを削るので、粉体のライン形成材のように湿って固まって放出口１１に詰まることなく、ラインを引くことができる。
【００５５】
また、ライン引き装置１を運搬する際には、内部のライン形成材Ａが固形であるため、ライン形成材Ａを収容部２から容易に取り出すことが可能になる。よって、自動車等で運搬する場合に室内が汚れてしまうのを防止できる。
【００５６】
さらに、ライン色を変えたい場合には、所望色のライン形成材Ａを用意しておき、収容部２に収容されているライン形成材Ａと交換する。このとき、ライン形成材Ａが固形であるため、収容部２からの取り出しが簡単に行え、別の色のライン形成材Ａを収容部２に簡単に収容することが可能である。
【００５７】
以上説明したように、この実施形態１にかかるライン引き装置１によれば、固形のライン形成材Ａを収容部２に収容したので、作業環境を良好にできるとともに、ライン形成材Ａを収容部２から容易に取り出して運搬することができ、取扱い作業性も良好になり、さらに、ライン形成材Ａの色替えを容易に行うこともできる。そして、ライン形成材Ａを削って収容部２から放出するようにしたので、ライン形成材Ａの詰まりやブリッジ現象を回避でき、ライン形成材Ａの放出量を安定させて均一な濃さのラインを引くことができる。
【００５８】
また、車輪４の回転力を削り部材３に伝達させて削り部材３を動かすことができるので、削り部材３を動かすための動力源を別途設けることなく、車輪４の回転力を利用してライン形成材Ａを削ることができる。よって、ライン引き装置１の低コスト化を図ることができる。
【００５９】
また、削り部材３をライン形成材Ａの下側に配置したことで、ライン形成材Ａの自重を利用してライン形成材Ａを削り部材３で確実に削ることができ、これに加えて、ライン形成材Ａをコイルバネ８により削り部材３へ押し付けるようにしたことで、ライン形成材Ａを削り部材３に確実に押し付けてライン形成材Ａを削ることができる。
【００６０】
（実施形態２）
図５及び図６は、本発明の実施形態２にかかるライン引き装置１の一部を示すものである。この実施形態２のライン引き装置１は、ライン形成材Ａを削るための構造が実施形態１のものと異なっており、他の部分は同じであるため、以下、実施形態１と異なる部分について詳細に説明する。
【００６１】
実施形態２では、削り部材２０が、円板部材２１と削り刃１６とを備えている。円板部材２１は、略水平に配置されている。図５に示すように、円板部材２１の中心部には、下方へ突出する支軸２２が固定されている。この支軸２２は、収容部２の下部に設けられた支持板２３に回転可能に支持されている。削り部材２０は車軸１２よりも上方に位置している。
【００６２】
削り刃１６は、実施形態１と同様に構成されており、円板部材２１の上面から上方へ突出するように設けられている。削り部１６の刃１６ａの向きは、実施形態１と同様に、ライン引き装置１を前進させても後退させてもライン形成材Ａを削ることができるように設定されている。
【００６３】
円板部材２１の下面の外周側には、複数の歯２４が周方向に環状に並んで設けられている。
【００６４】
また、車軸１２の軸方向中間部には、ギヤ２６が固定されている。ギヤ２６と車軸１２とは一体に回転するようになっている。このギヤ２６の歯２７は、削り部材２０の下面の歯２４に噛み合うようになっている。従って、車軸１２が回転してギヤ２６が回転すると、その回転力は、削り部材２０に伝達されて、削り部材２０が支軸２２周りに回転する。つまり、車軸１２及びギヤ２６が回転力伝達部である。
【００６５】
次に、上記のように構成されたライン引き装置１の使用要領について説明する。
【００６６】
実施形態１と同様にしてライン形成材Ａを収容部２に入れて蓋７を閉める。ライン形成材Ａの下面は、削り部材２０の上面に接する。
【００６７】
その後、ライン引き装置１を動かすと、上記のように車輪４の回転力がギヤ２６を介して削り部材２０に伝達され、削り部材２０が回転する。すると、削り刃１６がライン形成材Ａの下面を引っ掻き、ライン形成材Ａを削っていく。これにより、ライン形成材Ａが粉体となり、粉体となったライン形成材Ａは、放出口１１，１１，…から放出されて地面上にラインが形成される。
【００６８】
また、ライン形成材Ａを収容部２に収容した状態で長期間放置していた場合にも、同様に、削り部材２０によってライン形成材Ａを削るので、通常の使用時と同様にラインを引くことができる。
【００６９】
以上説明したように、この実施形態２にかかるライン引き装置１によれば、固形のライン形成材Ａを収容部２に収容し、このライン形成材Ａを削って収容部２から放出するようにしたので、実施形態１と同様な効果を奏することができる。
【００７０】
尚、削り部材３，２０の削り部１６の形状は上記した形状に限られるものではなく、例えば、図７に示す変形例１や、図８に示す変形例２のような形状としてもよい。変形例１の削り部３０は、直線状に延びる刃３０ａと、略矩形の貫通孔３０ｂとを備えている。刃３０ａの延びる方向は、削り部材３の中心線方向である。
【００７１】
変形例２の削り部３１は、削り部材３の外周面から突出する円筒部３１ａと、円筒部３１ａの先端縁に形成された複数の刃３１ｂと、円筒部３１ａの内部に開口する貫通孔３１ｃとを備えている。
【００７２】
また、ライン形成材Ａの形状としては、例えば図９（ａ）に示すような円柱形状であってもよいし、図９（ｂ）に示すような円筒形状であってもよいし、図９（ｃ）に示すような２辺が直線状で他の２辺が湾曲した断面形状を持つ柱状であってもよく、様々な形状にすることができる。また、ライン形成材Ａとしては、例えばチョークのように小さいものであってもよく、この場合、多数のライン形成材Ａを収容部２に収容すればよい。
【００７３】
（実施形態３）
図１０は、本発明の実施形態３にかかるライン引き装置１のブロック図を示すものである。この実施形態３のライン引き装置１は、実施形態１，２のものに対し、削り部材３をモータ４０で駆動するようにした点で異なっている。以下、実施形態１，２と異なる部分について説明する。
【００７４】
モータ４０の出力軸には駆動ギヤ（図示せず）が設けられている。一方、削り部材３には従動ギヤ（図示せず）が設けられている。駆動ギヤと従動ギヤとは噛み合っている。モータ４０は制御部４１に接続されている。制御部４１には、電源としてのバッテリ４２が接続されるとともに、スイッチ４３が接続されている。スイッチ４３は、モータ４０のＯＮ及びＯＦＦを切り替えるためのものである。
【００７５】
この実施形態３では、ラインを引く際にスイッチ４３を操作してモータ４０を回転させることにより、削り部材３を回転させてライン形成材Ａを削ることができる。従って、実施形態１，２のものに比べて、作業者がライン引き装置１を移動させるのに要する力が少なくて済む。
【００７６】
また、この実施形態３にかかるライン引き装置１によっても、固形のライン形成材Ａを収容部２に収容し、このライン形成材Ａを削って収容部２から放出するようにしたので、実施形態１と同様な効果を奏することができる。
【００７７】
尚、上記実施形態１〜３では、ライン形成材Ａをコイルバネ８で付勢するようにしているが、これに限らず、例えば、樹脂製のバネを用いてもよい。また、ライン形成材Ａは、自重のみで削り部材３，２０に当接させるようにしてもよい。
【００７８】
また、蓋７の収容部２に対する固定位置を上下方向に変更できるようにし、蓋７を任意の位置で収容部２に固定できるようにしてもよい。こうすることで、ライン形成材Ａが減った場合に、その減った量に対応するように蓋７を下に移動させて収容部２に固定することが可能になる。その結果、コイルバネ８の長さが短くて済む。また、蓋７とは別の部材（図示せず）にコイルバネ８を取り付けて収容部２内に設け、同様にして上下動可能に収容部２に固定し、ライン形成材Ａを付勢するようにしてもよい。
【００７９】
また、ライン形成材Ａを付勢する構造としては上記した構造に限られるものではなく、例えば、蓋７を上下動可能にした上で、引張バネ（図示せず）を用い、この引張バネの上端部を蓋７に固定し、下端部を収容部２の底部側に固定し、蓋７を下方へ付勢して、ライン形成材Ａを引張バネの力よって蓋７で下方へ押すようにしてもよい。また、同様に、押さえ板９を引張バネで下方へ付勢するようにしてもよい。
【００８０】
また、ライン形成材Ａの上側に十分な重さの錘を載せることによってライン形成材Ａを下方へ付勢するようにしてもよい。予備のライン形成材Ａを錘として利用してもよい。
【００８１】
また、削り部１６，３０，３１の形状や構造は上記したものに限られるものではなく、例えば、ヤスリの表面のような凹凸形状であってもよい。
【００８２】
また、上記実施形態１〜３では、削り部材３，２０を動かすことによってライン形成材Ａを削るようにしているが、これに限らず、削り部材３，２０を固定しておき、ライン形成材Ａを動かすようにしてもよい。この場合、ライン形成材Ａに固定される固定部材を設けておき、この固定部材を駆動してライン形成材Ａを動かせばよい。ライン形成材Ａは、例えば、回転させてもよい。
【００８３】
また、上記実施形態１〜３では、ライン引き装置１を前進させても後退させてもラインを引くことができるように構成しているが、これに限らず、ライン引き装置１を前進させた場合にのみラインを引くことができるように構成してもよく、また、ライン引き装置１を後退させた場合にのみラインを引くことができるように構成してもよい。これらの場合には、例えば、削り部材３，３０の刃１６ａ，３０ａの向きを全て一方向に向くようにすればよい。
【産業上の利用可能性】
【００８４】
以上説明したように、本発明にかかるライン引き装置は、例えば、運動場や公園の地面等にラインを引く際に用いることができる。
【符号の説明】
【００８５】
１        ライン引き装置
２        収容部
３        削り部材
４        車輪
７        蓋
８        コイルバネ（付勢部材）
１１      放出口（放出部）
１２      車軸（回転力伝達部）
２０      削り部材
２６      ギヤ
４０      モータ
４１      制御部
４２      バッテリ
Ａ        ライン形成材
【図１】
2011250997.tif 000003
【図２】
2011250997.tif 000004
【図３】
2011250997.tif 000005
【図４】
2011250997.tif 000006
【図５】
2011250997.tif 000007
【図６】
2011250997.tif 000008
【図７】
2011250997.tif 000009
【図８】
2011250997.tif 000010
【図９】
2011250997.tif 000011
【図１０】
2011250997.tif 000012